(57)【要約】【課題】シンプルな構成で、操作性を向上することができるタッチ検出機能付きの表示装置を得る。【解決手段】ユーザに指示するための１または複数の指示情報Ｔを、その各指示情報に対応して設けられた指示情報表示領域３３にそれぞれ表示する表示部と、指示情報表示領域のそれぞれに対応して設けられたタッチ検出領域３２においてタッチを行うことにより、その指示情報に基づいた情報入力を行うタッチパネルと、タッチパネルにおける情報入力に基づいて所定の動作制御を行う制御部とを備える。上記指示情報表示領域のそれぞれは、対応するタッチ検出領域のうちの上に寄った位置に設けられている。【選択図】図３
2012103914.tif 000002
【特許請求の範囲】
【請求項１】
ユーザに指示するための１または複数の指示情報を、その各指示情報に対応して設けられた指示情報表示領域にそれぞれ表示する表示部と、
前記指示情報表示領域のそれぞれに対応して設けられたタッチ検出領域においてタッチを行うことにより、その指示情報に基づいた情報入力を行うタッチパネルと、
前記タッチパネルにおける情報入力に基づいて所定の動作制御を行う制御部と
を備え、
前記指示情報表示領域のそれぞれは、対応する前記タッチ検出領域のうちの上に寄った位置に設けられている
表示装置。
【請求項２】
前記指示情報表示領域は、前記タッチ検出領域の上下方向において、上から２／３の範囲に設けられている
請求項１に記載の表示装置。
【請求項３】
前記指示情報表示領域は、前記タッチ検出領域の上下方向において、上から１／２の範囲に設けられている
請求項２に記載の表示装置。
【請求項４】
前記指示情報は、文字、記号、または色である
請求項１から請求項３のいずれか一項に記載の表示装置。
【請求項５】
前記指示情報は、前記指示情報表示領域の大きさに対応した長さのスクロールバーである
請求項１から請求項３のいずれか一項に記載の表示装置。
【請求項６】
前記スクロールバーは上下方向に長いものであり、
前記タッチ検出領域は、前記スクロールバーの上下方向の長さが所定の長さよりも短い時に、そのスクロールバーがそのタッチ検出領域のうちの上に寄った位置に配置されるように設定される
請求項５に記載の表示装置。
【請求項７】
前記タッチ検出領域の上下方向の長さは２ｃｍ以下である
請求項１から請求項３のいずれか一項に記載の表示装置。
【請求項８】
前記表示部は、前記タッチ検出領域と一致するように設けられた操作ボタンをさらに表示する
請求項１から請求項３のいずれか一項に記載の表示装置。
【請求項９】
前記表示部は、前記指示情報表示領域を有する操作ボタンをさらに表示し、
前記操作ボタンは、対応する前記タッチ検出領域の上に寄った位置に設けられている
請求項１から請求項３のいずれか一項に記載の表示装置。
【請求項１０】
前記表示装置はリモコンである
請求項１から請求項３のいずれか一項に記載の表示装置。
【請求項１１】
前記表示装置はモバイル機器である
請求項１から請求項３のいずれか一項に記載の表示装置。
【請求項１２】
ユーザに指示するための１または複数の指示情報をその各指示情報に対応して設けられた指示情報表示領域にそれぞれ表示する表示部における前記指示情報表示領域を、その指示情報に基づく情報入力を行うためのタッチ検出領域のうちの上に寄った位置に設定する表示領域設定ステップと、
前記指示情報表示領域のそれぞれにおいて、対応する指示情報を表示する表示ステップと
をコンピュータに実行させる為の表示用プログラム。
【請求項１３】
ユーザに指示するための１または複数の指示情報をその各指示情報に対応して設けられた指示情報表示領域にそれぞれ表示する表示部における前記指示情報表示領域を、その指示情報に基づく情報入力を行うためのタッチ検出領域のうちの上に寄った位置に設定し、
前記指示情報表示領域のそれぞれにおいて、対応する指示情報を表示する
表示方法。
【発明の詳細な説明】
【技術分野】
【０００１】
本発明は、タッチ検出機能を備えた表示装置、およびそのような表示装置に用いられる表示用プログラムならびに表示方法に関する。
【背景技術】
【０００２】
近年、いわゆるタッチパネルと呼ばれる接触検出装置を液晶表示装置等の表示装置上に装着し、その表示装置に各種のボタン画像等を表示させることにより、通常の機械式ボタンの代わりとして情報入力を可能とした表示装置が注目されている。このようなタッチパネルを有する表示装置は、キーボードやマウス、キーパッドのような入力装置を必要としないため、コンピュータのほか、携帯電話のような携帯情報端末などでも、使用が拡大する傾向にある。
【０００３】
そのような表示装置において、ユーザが操作する際の操作性の向上を図る方法がいくつか提案されている。例えば、特許文献１には、タッチパネルを正面からではなく側方から操作する場合や、室内が暗いために操作ボタンを視認しにくい場合などにおいて、表示ボタンと実際のタッチ位置とのずれ量を求め、それに基づいてその表示ボタンに係るタッチ検出領域を拡張するタッチパネルが開示されている。また、特許文献２には、スクロールバーを操作する場合において、スクロールバーに対応する領域にタッチがなされたときにそのスクロールバーの幅を拡大する情報処理装置が開示されている。
【先行技術文献】
【特許文献】
【０００４】
【特許文献１】特開２００９−３７３４４号公報
【特許文献２】特開２００４−１９２５７３号公報
【発明の概要】
【発明が解決しようとする課題】
【０００５】
ところで、電子機器においては、ハードウェアに要求される仕様、回路規模、消費電流などの観点から、一般にシンプルな動作が望まれている。しかしながら、特許文献１に開示されたタッチパネル、および特許文献２に開示された情報処理装置では、タッチ位置に基づいてタッチ検出領域やスクロールバーの幅を動的に変化させるため、そのような制御を行うための機能が必要となり、システムの構成が複雑になるおそれがある。
【０００６】
本発明はかかる問題点に鑑みてなされたもので、その目的は、シンプルなシステム構成で、操作性を向上することができる表示装置、表示用プログラム、および表示方法を提供することにある。
【課題を解決するための手段】
【０００７】
本発明の表示装置は、表示部と、タッチパネルと、制御部とを備える。表示部は、ユーザに指示するための１または複数の指示情報を、その各指示情報に対応して設けられた指示情報表示領域にそれぞれ表示するものである。タッチパネルは、指示情報表示領域のそれぞれに対応して設けられたタッチ検出領域においてタッチを行うことにより、その指示情報に基づいた情報入力を行うものである。制御部は、タッチパネルにおける情報入力に基づいて所定の動作制御を行うものである。
【０００８】
本発明の表示用プログラムは、ユーザに指示するための１または複数の指示情報をその各指示情報に対応して設けられた指示情報表示領域にそれぞれ表示する表示部における指示情報表示領域を、その指示情報に基づく情報入力を行うためのタッチ検出領域のうちの上に寄った位置に設定する表示領域設定ステップと、指示情報表示領域のそれぞれにおいて、対応する指示情報を表示する表示ステップとをコンピュータに実行させる為のものである。
【０００９】
本発明の表示方法は、ユーザに指示するための１または複数の指示情報をその各指示情報に対応して設けられた指示情報表示領域にそれぞれ表示する表示部における指示情報表示領域を、その指示情報に基づく情報入力を行うためのタッチ検出領域のうちの上に寄った位置に設定し、指示情報表示領域のそれぞれにおいて、対応する指示情報を表示するものである。
【００１０】
本発明の表示装置、表示用プログラム、および表示方法では、指示情報表示領域に指示情報が表示され、その指示情報に基づきユーザがタッチ検出領域をタッチすることにより、その指示情報に基づいた情報入力が行われる。この指示情報表示領域は、対応するタッチ検出領域のうちの上に寄った位置に設けられている。これにより、ユーザが、指示情報を確認してタッチを行ったときに、指示情報表示領域およびその領域の下に拡張するように広がるタッチ検出領域においてタッチが検出される。
【００１１】
本発明の表示装置では、例えば、指示情報表示領域は、タッチ検出領域の上下方向において、上から２／３の範囲に設けられるようにしても良いし、上から１／２の範囲に設けられるようにしても良い。
【００１２】
例えば、指示情報は、文字、記号、または色であってもよい。また、例えば、指示情報は、指示情報表示領域の大きさに対応した長さのスクロールバーであってもよい。この場合、例えば、スクロールバーは上下方向に長いものであり、タッチ検出領域は、スクロールバーの上下方向の長さが所定の長さよりも短い時に、そのスクロールバーがそのタッチ検出領域のうちの上に寄った位置に配置されるように設定されてもよい。
【００１３】
例えば、タッチ検出領域の上下方向の長さは２ｃｍ以下とすることができる。
【００１４】
例えば、表示部は、タッチ検出領域と一致するように設けられた操作ボタンをさらに表示するようにしてもよい。ここで、一致とは、完全に同じであることに限定されるものではなく、例えば、操作ボタンが円形状であり、タッチ検出領域がその円に外接する矩形状の場合など、若干の違いを有していてもよい。また、表示部は、指示情報表示領域を有する操作ボタンをさらに表示し、操作ボタンは、対応するタッチ検出領域の上に寄った位置に設けられていてもよい。
【００１５】
例えば、表示装置はリモコンであってもよい。また、例えば、表示装置はモバイル機器であってもよい。
【発明の効果】
【００１６】
本発明の表示装置、表示用プログラム、および表示方法によれば、指示情報表示領域を対応するタッチ検出領域のうちの上に寄った位置に設けるようにしたので、シンプルな構成で操作性を向上することができる。
【図面の簡単な説明】
【００１７】
【図１】本発明の実施の形態に係る電子機器システムの一構成例を表す構成図である。
【図２】第１の実施の形態に係るリモコンの一構成例を表すブロック図である。
【図３】第１の実施の形態に係る操作ボタン、タッチ検出領域、指示情報表示領域の関係を表す説明図である。
【図４】表示部に対するタッチ操作を表す説明図である。
【図５】第１の実施の形態に係る表示部の一表示例を表す説明図である。
【図６】第２の実施の形態に係る操作ボタン、タッチ検出領域、指示情報表示領域の関係を表す説明図である。
【図７】第２の実施の形態に係る表示部の一表示例を表す説明図である。
【図８】第３の実施の形態に係るタッチ検出領域、指示情報表示領域の関係を表す説明図である。
【図９】第３の実施の形態に係る表示部の一表示例を表す説明図である。
【図１０】第３の実施の形態に係る表示部の他の表示例を表す説明図である。
【図１１】第３の実施の形態の変形例に係る表示部の一表示例を表す説明図である。
【発明を実施するための形態】
【００１８】
以下、本発明の実施の形態について、図面を参照して詳細に説明する。なお、説明は以下の順序で行う。
１．第１の実施の形態
２．第２の実施の形態
３．第３の実施の形態
【００１９】
＜１．第１の実施の形態＞
［構成例］
（全体構成例）
図１は、本発明の第１の実施の形態に係る電子機器システムの一構成例を表すものである。この電子機器システムは、表示部およびタッチパネルを備えたリモートコントローラ（以下、リモコンという）と、そのリモコンにより操作される様々な電子機器により構成されるものである。なお、本発明の実施の形態に係る表示用プログラムおよび表示方法は、本実施の形態により具現化されるので、併せて説明する。
【００２０】
電子機器システム１は、テレビ受像機１１と、録画再生機器１２と、パーソナルコンピュータ（ＰＣ）１３と、ＰＣモニタ１４と、アクセスポイント１５と、リモコン２０とを備えている。
【００２１】
テレビ受像機１１は、この例では、地上波放送やＢＳ（Broadcasting Satellite）／ＣＳ（Communications Satellite）放送を受信し表示するものである。録画再生機器１２は、例えばＢＤ（Blu-ray Disc（登録商標））レコーダやハードディスクレコーダなどであり、地上波放送やＢＳ／ＣＳ放送を録画し、あるいは録画したコンテンツなどを再生するものである。ＰＣ１３は、例えば映像などのコンテンツ情報が記録されたコンピュータであり、ＰＣモニタ１４はＰＣ１３を操作するための表示装置である。
【００２２】
リモコン２０は、これらの電子機器を操作するためのものであり、表示部２１（後述）およびタッチパネル２２（後述）を有している。また、リモコン２０は、赤外線通信などによる通信手段Ａを有し、例えばテレビ受像機１１を遠隔操作できるようになっている。
【００２３】
アクセスポイント１５は、無線ＬＡＮ（Local Area Network）と有線ＬＡＮとを相互接続するものである。アクセスポイント１５は、有線ＬＡＮによりテレビ受像機１１、録画再生機器１２、およびＰＣ１３と互いに接続されるとともに、無線ＬＡＮ（通信手段Ｂ）によりリモコン２０と互いに接続されるようになっている。
【００２４】
テレビ受像機１１、録画再生機器１２、およびリモコン２０は、この例ではＤＬＮＡ（Digital Living Network Alliance）ガイドラインに対応したものであり、ＰＣ１４も含めたこれらの電子機器間で、ネットワークを介してシームレスに情報のやりとりを行うことができるようになっている。
【００２５】
この構成により、電子機器システム１では、ユーザが、リモコン２０の表示部２１に表示された操作ボタンなどをタッチにより操作することにより、これらの電子機器を操作することができる。具体的には、例えば、表示部２１にテレビ受像機１１を操作するための操作画面を表示した場合には、ユーザは、例えば表示部２１に表示されたチャンネルボタンを押すことによりテレビ受像機１１のチャンネル操作を行うことができる。また、例えば、表示部２１に、ＰＣ１３に記録された映像コンテンツの一覧を表示した場合には、ユーザは、その一覧から視聴したい映像コンテンツを選択し、テレビ受像機１１にその選択した映像コンテンツを表示することができるようになっている。
【００２６】
なお電子機器システム１は、この構成に限定されるものではなく、これらの全てを有していなくても良いし、また、例えば映像コンテンツなどを格納するためのＮＡＳ（Network Attached Storage）などのネットワーク機器などをさらに有していてもよい。
【００２７】
（リモコン２０）
図２は、リモコン２０の一構成例を表すものである。リモコン２０は、表示部２１と、タッチパネル２２と、赤外線通信部２３と、無線通信部２４と、制御部２５と、フラッシュＲＯＭ２６とを備えている。
【００２８】
表示部２１は、ユーザがテレビ受像機１１などの電子機器を操作する際の操作画面を表示するものであり、例えば液晶表示装置により構成されるものである。タッチパネル２２は、表示部２１に重ねて配置され、表示部２１の表示に基づいてユーザが情報を入力する際の入力インターフェースとして機能するものである。赤外線通信部２３は、通信手段Ａにより、例えばテレビ受像機１１と情報のやり取りを行うものである。無線通信部２４は、通信手段Ｂにより、アクセスポイント１５を介して、ＰＣ１３などとの間で情報のやりとりを行うものである。制御部２５は、これらのブロックを制御するものである。フラッシュＲＯＭ２６は、制御部２５が制御を行う際に必要なプログラムを格納するものである。
【００２９】
図３は、操作画面に配置される操作ボタン３１の一例を表すものである。操作ボタン３１には、タッチ検出領域３２と、指示情報表示領域３３とが設けられている。タッチ検出領域３２は、タッチを検出可能なアクティブ領域である。指示情報表示領域３３は、ユーザに指示するための指示情報Ｔを表示することによりその操作ボタンの機能をユーザに示すための領域である。指示情報Ｔは、例えば、後述するように、文字や、記号や、色などが適用可能である。
【００３０】
この例では、タッチ検出領域３２は、操作ボタン３１の表示領域と一致するように設けられている。すなわち、ユーザが、操作ボタン３１の表示領域にタッチした場合、その操作ボタン３１と一致するように設定されているタッチ検出領域３２においてタッチが検出され、リモコン２０は、その操作ボタン３１がタッチされたと認識するようになっている。タッチ検出領域３２（操作ボタン３１）の上下方向の大きさは、例えば２ｃｍである。
【００３１】
また、この例では、指示情報表示領域３３は、タッチ検出領域３２のうちの上に寄った位置に設けられている。これにより、後述するように、ユーザが指示情報表示領域３３に表示された指示情報Ｔを見ながらユーザの指によりタッチを行っても、そのタッチ位置がタッチ検出領域３２の範囲内に収まり易いようになっている。
【００３２】
ここで、リモコン２０は、本発明における「表示装置」の一具体例に対応する。
【００３３】
［動作および作用］
続いて、本実施の形態のリモコン２０の動作および作用について説明する。
【００３４】
（全体動作概要）
まず、図１〜３を参照して、リモコン２０の全体動作概要を説明する。リモコン２０は、電子機器を操作するための操作画面を表示部２１に表示し、ユーザからの操作指示を受け付ける。具体的には、表示部２１は、タッチ検出領域３２の上に寄った位置に指示情報表示領域３３を設定した操作ボタン３１を表示する。タッチパネル２２は、ユーザによる情報入力を受け付ける。赤外線通信部２３は、ユーザの操作に基づいて、リモコン信号Ｒを生成し、通信手段Ａを用いてテレビ受像機１１に対して送信する。無線通信部２４は、ユーザの操作に基づいて、通信手段Ｂを用いて電子機器との間で情報のやり取りを行う。制御部２５は、フラッシュＲＯＭに格納されたプログラムに基づいて動作し、これらのブロックを制御する。
【００３５】
（タッチ検出領域３２および指示情報表示領域３３）
次に操作ボタン３１に設けられたタッチ検出領域３２および指示情報表示領域３３の作用について説明する。
【００３６】
図４は、ユーザが操作ボタン３１をタッチする動作を表すものである。
【００３７】
ユーザは、操作ボタンを操作する際、操作ボタンに表示された指示情報を見てその操作ボタンの機能を認識し、その操作ボタンにタッチする。その際、ユーザが実際にタッチする位置（例えば指と操作面との接触領域の中心位置）は、必ずしもユーザが意図した位置にならない。すなわち、実際にタッチする位置は、ユーザがその指示情報を見ようとすること、および指先の形状が曲面になっていることなどにより、操作ボタンの中心よりも上下方向で下になる傾向がある。よって、例えば、指示情報が操作ボタンの上下方向の中心付近に表示され、操作ボタンの上下方向の大きさが小さい場合（例えば２ｃｍ以下など）には、タッチする位置が操作ボタン（タッチ検出領域）の外側になってしまい、タッチが検出されないおそれがある。
【００３８】
そこで、図４に示したように、リモコン２０では、操作ボタン３１（タッチ検出領域３２）のうちの上に寄った位置に指示情報表示領域３３を設けている。これにより、ユーザが、操作ボタン３１の上側に表示された指示情報Ｔを見ながらタッチを行った場合でも、そのタッチ位置の、操作ボタンの中心からのずれ量を低減することができる。言い換えれば、リモコン２０では、指示情報Ｔを操作ボタン３１の上側の領域に表示することにより、タッチ位置が操作ボタン３１の中心付近になるように、ユーザを誘導することができる。
【００３９】
このようにリモコン２０では、単にタッチ検出領域３２と指示情報表示領域３３との相対的な関係を設定することにより、タッチ位置がタッチ検出領域３２に収まり易くすることができ、操作性の向上を実現している。すなわち、リモコン２０は、特許文献１，２に示したように動的にタッチ検出領域３２を変化させるのではなく、静的な設定により操作性の向上を実現するものである。これにより、リモコン２０は、その動作がシンプルとなるため、その構成もシンプルなものにすることができる。
【００４０】
（操作画面例）
次に、いくつかの操作画面例を示す。
【００４１】
図５は、表示部２１に表示される操作画面の例を表すものであり、（Ａ）は指示情報Ｔが文字である場合を示し、（Ｂ）は指示情報Ｔが記号である場合を示し、（Ｃ）は指示情報Ｔが色である場合を示す。
【００４２】
図５（Ａ）の例では、文字を入力するためのソフトウェアキーボードが操作画面３０Ａとして表示されている。ここで、操作ボタン３１の指示情報Ｔは文字（この例ではアルファベットおよび数字）である。指示情報表示領域３３は、タッチ検出領域３２（操作ボタン３１）の上下方向において、上から約１／２の範囲に設けられている。
【００４３】
図５（Ｂ）の例では、ＰＣ１３に記録された音楽を再生するための操作画面３０Ｂが表示されている。ここで、操作ボタン３１の指示情報Ｔは記号（再生、一時停止、停止、巻き戻し、早送りなど）である。指示情報表示領域３３は、図５（Ａ）と同様に、タッチ検出領域３２（操作ボタン３１）の上下方向において、上から約１／２の範囲に設けられている。
【００４４】
図５（Ｃ）の例では、録画再生機器１２を操作するための操作画面３０Ｃが表示されている。いわゆるカラーボタンにおいて、操作ボタン３１の指示情報Ｔは色情報（黄色、青色、赤色、緑色）である。指示情報表示領域３３は、タッチ検出領域３２（操作ボタン３１）の上下方向において、上から約２／３の範囲に設けられている。
【００４５】
このように、リモコン２０では、指示情報Ｔを表示する指示情報表示領域３３を、タッチ検出領域３２（操作ボタン３１）のうちの上に寄った位置に設けるようにしたので、例えば、その指示情報Ｔを見ながらタッチを行った場合において、タッチ位置がタッチ検出領域３２に収まり易くすることができる。
【００４６】
［効果］
以上のように本実施の形態では、タッチ検出領域（操作ボタンの表示領域）の上に寄った位置に指示情報表示領域を設けたので、タッチ位置がタッチ検出領域の外側になるおそれを低減でき、操作性を向上することができる。
【００４７】
本実施の形態では、タッチ検出領域（操作ボタンの表示領域）と指示情報表示領域との相対的な関係を静的に設定するようにしたので、シンプルな構成を実現することができる。
【００４８】
上記実施の形態では、タッチ検出領域と操作ボタンの表示領域とを一致するようにしたが、これに限定されるものではなく、若干異なっていてもよい。例えば、操作ボタンが円形状であり、タッチ検出領域が、その円形状の操作ボタンに外接する矩形状の領域であっもよい。
【００４９】
上記実施の形態では、指示情報Ｔは、図５などに示したように、指示情報表示領域３３において、左右方向の中央付近に表示したが、これに限定されるものではなく、これに代えて、例えば指示情報Ｔを指示情報表示領域３３のうちの左側に寄せて表示してもよいし、指示情報表示領域３３のうちの右側に寄せて表示してもよい。
【００５０】
＜２．第２の実施の形態＞
次に、本発明の第２の実施の形態に係る電子機器システム２について説明する。本実施の形態は、操作ボタンの配置および大きさが、上記第１の実施の形態と異なるものである。すなわち、上記第１の実施の形態（図３）では、操作ボタン３１をタッチ検出領域３２に一致するようにしたが、これに代えて、本実施の形態では、操作ボタン３４を、タッチ検出領域３２のうちの上に寄った位置に、指示情報表示領域３３を含むように設けるものである。すなわち、本実施の形態では、このような表示を行うリモコン４０を用いて電子機器システム２を構成している。その他の構成は、上記第１の実施の形態と同様である。なお、上記第１の実施の形態に係る電子機器システム１と実質的に同一の構成部分には同一の符号を付し、適宜説明を省略する。
【００５１】
図６は、操作画面に配置される操作ボタン３４の一例を表すものである。操作ボタン３４の表示領域は、タッチ検出領域３２のうちの上に寄った位置に、指示情報表示領域３３を含むように設けられている。すなわち、タッチ検出領域３２は、操作ボタン３４の表示領域に加え、その領域の下側に拡張するように広く設けられている。ここで、タッチ検出領域３２の上下方向の大きさは、例えば２ｃｍである。
【００５２】
この例では、ユーザが、操作ボタン３４の表示領域にタッチした場合、そのタッチ位置が操作ボタン３４の表示領域の下側になってしまっても、その操作ボタン３４の下側に拡張するように広く設けられているタッチ検出領域３２によりタッチが検出される。
【００５３】
図７は、リモコン４０の表示部２１に表示される操作画面の一例を表すものである。図７は、録画再生機器１２を操作するための操作画面４０Ａを示すものであり、図５（Ｃ）に対応するものである。指示情報表示領域３３は、タッチ検出領域３２の上下方向において、上から約１／２の範囲に設けられている。そして、操作ボタン３１は、タッチ検出領域３２の上下方向において、上から約２／３の範囲に設けられている。
【００５４】
以上のように本実施の形態では、操作ボタンの表示領域をタッチ検出領域３２と異なるようにしたので、操作ボタンの配置や大きさ、形状などのデザインの自由度を高めることができる。その他の効果は、上記第１の実施の形態の場合と同様である。
【００５５】
＜３．第３の実施の形態＞
次に、本発明の第３の実施の形態に係る電子機器システム３について説明する。本実施の形態は、操作ボタンを表示しないものである。すなわち、本実施の形態では、このように操作ボタンを表示しないリモコン５０を用いて電子機器システム３を構成している。その他の構成は、上記第１および第２の実施の形態と同様である。なお、上記第１および第２の実施の形態に係る電子機器システム１，２と実質的に同一の構成部分には同一の符号を付し、適宜説明を省略する。
【００５６】
図８は、操作画面に配置されるタッチ検出領域３２および指示情報表示領域３３の一例を表すものである。この例では、操作ボタンは表示されず、指示情報表示領域３３において指示情報Ｔのみが表示される。指示情報表示領域３３は、タッチ検出領域３２のうちの上に寄った位置に設けられている。すなわち、タッチ検出領域３２は、指示情報表示領域３３に加え、その領域の下側に拡張するように広く設けられている。ここで、タッチ検出領域３２の上下方向の大きさは、例えば２ｃｍである。
【００５７】
この例では、ユーザが、指示情報表示領域３３にタッチした場合、そのタッチ位置が指示情報表示領域３３よりも下側になってしまっても、その指示情報表示領域３３の下側に拡張するように広く設けられているタッチ検出領域３２によりタッチが検出される。
【００５８】
図９は、リモコン５０の表示部２１に表示される操作画面の一例を表すものである。この例では、ＰＣ１３に記録された音楽の一覧から音楽を選択するための操作画面５０Ａが表示されている。ユーザは、スクロールバー３６を操作してスクロールすることにより、音楽の一覧の最上部から最下部まで見ることができる。タッチ検出領域３２は、一覧のうちの各項目に対応する領域に設定されている。この例では上記第１および第２の実施の形態とは異なり、操作ボタン３１は表示されておらず、一覧のうちの各項目に対応する領域をタッチすることにより、その項目（音楽）が選択される。指示情報表示領域３３は、この各タッチ検出領域３２の上下方向において、上に寄った位置に設けられている。指示情報表示領域３３には、音楽を識別するための主な情報が表示されている。すなわち、ユーザは、指示情報表示領域３３に表示された情報に基づいて音楽を選択し、タッチを行う。なお、この例では、タッチ検出領域３２において、指示情報表示領域３３の下側にも文字が表示されている。この情報は、指示情報表示領域３３に表示されている指示情報Ｔに付随するものであり、ユーザがその情報に基づいて直接音楽を選択するためのものではない。
【００５９】
図１０は、操作画面の他の一例を表すものである。図９において、一覧の項目数が増加するに従い、よく知られているように、スクロールバー３６の長さは短くなっていく。この例では、スクロールバー３６の長さがある所定の長さよりも短いとき、例えば図１０に示したように、スクロールバー３６の表示領域（指示情報表示領域３３）に加え、その領域の下側に拡張するようにタッチ検出領域３２を設定する。具体的には、例えば、スクロールバー３６の長さが２ｃｍ以下になったときに、タッチ検出領域３２の上端とスクロールバー３６の上端とを合わせたまま、タッチ検出領域３２の長さを２ｃｍに維持するようにすることが可能である。これにより、ユーザは、スクロールバー３６が短くなった場合でも、スクロールバー３６を操作しやくなり、操作性を向上することができる。
【００６０】
以上のように本実施の形態では、タッチ検出領域うちの上に寄った位置に指示情報表示領域を設けたので、操作性を向上することができる。その他の効果は、上記第１の実施の形態の場合と同様である。
【００６１】
上記実施の形態では、固定幅のスクロールバー３６を使用したが、これに限定されるものではなく、これに代えて、例えば、図１１に示したように、スクロールバー３６に対応する領域にタッチが行われたときに、そのスクロールバーの幅Ｗが広くなるようにしてもよいし、図１０と図１１とを組み合わせ、一覧の項目数が多くなりスクロールバー３６が短くなった場合にその下側にタッチ検出領域を設定するとともに、スクロールバーに対応する領域にタッチが行われたときにはその幅が広くなるようにしてもよい。
【００６２】
以上、いくつかの実施の形態および変形例を挙げて本発明を説明したが、本発明はこれらの実施の形態等には限定されず、種々の変形が可能である。
【００６３】
例えば、上記の各実施の形態では、リモコンを例に説明したが、これに限定されるものではなく、タッチパネルを備えた全ての表示装置に適用可能である。具体的には、例えば、デスクトップＰＣやテレビ受像機のような据置型の電子機器、携帯型音楽プレーヤー、携帯電話、デジタルカメラ、ノート型ＰＣのようなモバイル機器などに適用可能である。
【符号の説明】
【００６４】
１，２，３…電子機器システム、１１…テレビ受像機、１２…録画再生機器、１３…ＰＣ、１４…ＰＣモニタ、１５…アクセスポイント、２０，４０，５０…リモコン、２１…表示部、２２…タッチパネル、２３…赤外線通信部、２４…無線通信部、２５…制御部、２６…フラッシュＲＯＭ、３０Ａ，３０Ｂ，３０Ｃ，４０Ａ，５０Ａ，５０Ｂ，５０Ｃ…操作画面、３１，３４…操作ボタン、３２…タッチ検出領域、３３…指示情報表示領域、
Ａ，Ｂ…通信手段、Ｔ…指示情報。
【図１】
2012103914.tif 000003
【図２】
2012103914.tif 000004
【図３】
2012103914.tif 000005
【図４】
2012103914.tif 000006
【図５】
2012103914.tif 000007
【図６】
2012103914.tif 000008
【図７】
2012103914.tif 000009
【図８】
2012103914.tif 000010
【図９】
2012103914.tif 000011
【図１０】
2012103914.tif 000012
【図１１】
2012103914.tif 000013